(57)【要約】【課題】気象情報を提供するサーバなどの外部との通信状況に関わらず、蓄電装置の充放電制御の適正化を図ることができる制御装置を提供する。【解決手段】蓄電装置に接続された制御装置１００は、気象情報の種類ごとに蓄電装置に対する充放電制御の種類を記憶している。制御装置は、外部装置の一例としてのサーバから気象情報を取得すると（Ｓ２）、該気象情報に基づいて、蓄電装置に対する充放電制御が気象情報に応じた充放電制御であるか、または蓄電装置から電気機器への電力供給制御であるかを決定して実行する（Ｓ３，Ｓ４）。制御装置は、予め規定されたタイミングで気象情報をサーバから取得する。気象情報に応じた充放電制御が開始された後に、予め規定された期間、サーバとの通信が不成功であって気象情報が取得されない場合に、制御装置は、電力供給制御を実行することを決定する（Ｓ１３）。【選択図】図５
2018207782.tif 000002
【特許請求の範囲】
【請求項１】
１以上の電気機器に電力を供給可能な蓄電装置に接続された制御装置であって、
前記蓄電池の充放電制御モードとして、外部から取得する気象情報に応じて前記蓄電池の充放電制御を行なう気象情報対応モードを含み、
取得した気象情報に応じて気象情報対応モードで制御が開始された後、予め規定された期間外部からの気象情報が取得されない場合に、前記気象情報対応モードでの制御から他のモードでの制御に切り替える、制御装置。
【請求項２】
前記気象情報対応モードでの制御が開始された後に、予め規定された時間間隔で外部からの気象情報の取得を試み、予め規定された回数、外部からの気象情報の取得が不成功であった場合に、前記気象情報対応モードでの制御から他のモードでの制御に切り替える、請求項１に記載の制御装置。
【請求項３】
充放電制御システムであって、
１以上の電気機器に電力を供給可能な蓄電装置と、
前記蓄電装置に接続された制御装置と、を備え、
前記制御装置は、
前記蓄電池の充放電制御モードとして、外部から取得する気象情報に応じて前記蓄電池の充放電制御を行なう気象情報対応モードを含み、
取得した気象情報に応じて気象情報対応モードで制御が開始された後、予め規定された期間外部からの気象情報が取得されない場合に、前記気象情報対応モードでの制御から他のモードでの制御に切り替える、充放電制御システム。
【請求項４】
１以上の電気機器に電力を供給可能な蓄電装置に接続された制御装置の制御方法であって、
前記制御装置は、前記蓄電池の充放電制御モードとして、外部から取得する気象情報に応じて前記蓄電池の充放電制御を行なう気象情報対応モードを有し、
前記制御方法は、取得した気象情報に応じて気象情報対応モードで制御が開始された後、予め規定された期間外部からの気象情報の取得ができない場合に、前記気象情報対応モードでの制御から他のモードでの制御に切り替えることを含む、制御方法。
【発明の詳細な説明】
【技術分野】
【０００１】
この開示は制御装置、充放電制御システムおよび制御方法に関し、特に、気象情報に基づいて家庭内等の電化製品の電力管理を行なう制御装置、充放電制御システムおよび制御方法に関する。
【背景技術】
【０００２】
エアコン、照明、および給湯器などの、家庭内やオフィスなどに配置されている様々な電気機器と蓄電装置とを接続した電力システムが知られている。該電力システムでは、電力需要の少ない時間帯や電力料金が安い時間帯に蓄電装置に蓄電し、電力需要の高まる時間帯や電力料金が高い時間帯に蓄電装置の電力を電気機器に供給（放電）する制御が行なわれる。これにより、電力需要の平準化や電力料金の抑制を図るものである。
【０００３】
このような電力システムは、停電の発生時に蓄電装置に蓄積されている電力を各電気機器に提供することによって、停電時にも電気機器の稼働を可能とする。そのため、停電の発生の可能性がある場合には、事前に蓄電量を増加させておくことが望まれる。一方で、放電を抑えて蓄電量を増加させる制御が必要以上に長期間、継続すると、適切に電力需要の平準化や電力料金の抑制が図られなくなる場合もある。
【０００４】
そこで、たとえば特開２０１２−２３５５４１号公報は、蓄電池の充放電を制御する装置であって、停電の予兆を示す情報をサーバから取得し、当該情報に基づいて計算された重電の必要性の緊急度に応じて充放電制御を行なう制御装置を開示している。
【先行技術文献】
【特許文献】
【０００５】
【特許文献１】特開２０１２−２３５５４１号公報
【発明の概要】
【発明が解決しようとする課題】
【０００６】
しかしながら、特開２０１２−２３５５４１号公報に開示されている制御装置は、サーバとの通信が遮断されて停電の予兆を示す情報が取得できなかった場合には緊急度に応じた充放電制御を行なうことができないという問題がある。たとえば、停電の予兆がある場合、制御装置は蓄電池での蓄電量を増加させる制御を行なう。その後に、制御装置とサーバとの通信が切断された場合、制御装置は放電制御を行なうことがないために、蓄電量の多い状態が維持されてしまう。そのため、停電の終了後に適切に電力需要の平準化や電力料金の抑制が図られなくなる。
【０００７】
本開示のある局面における目的は、気象情報を提供するサーバなどの外部との通信状況に関わらず充放電制御の適正化を図ることのできる制御装置を提供することである。また、本開示のある局面における目的は、気象情報を提供するサーバなどの外部との通信状況に関わらず充放電制御の適正化を図ることのできる充放電制御システムを提供することである。また、本開示のある局面における目的は、気象情報を提供するサーバなどの外部との通信状況に関わらず充放電制御の適正化を図ることのできる制御方法を提供することである。
【課題を解決するための手段】
【０００８】
ある実施の形態に従うと、制御装置は、１以上の電気機器に電力を供給可能な蓄電装置に接続されている。この制御装置は、蓄電池の充放電制御モードとして、外部から取得する気象情報に応じて蓄電池の充放電制御を行なう気象情報対応モードを含む。制御装置は、取得した気象情報に応じて気象情報対応モードで制御が開始された後、予め規定された期間外部からの気象情報が取得されない場合に、気象情報対応モードでの制御から他のモードでの制御に切り替える。
【０００９】
他の実施の形態に従うと、充放電制御システムは、１以上の電気機器に電力を供給可能な蓄電装置と、蓄電装置に接続された制御装置と、を備える。制御装置は、蓄電池の充放電制御モードとして、外部から取得する気象情報に応じて蓄電池の充放電制御を行なう気象情報対応モードを含む。制御装置は、取得した気象情報に応じて気象情報対応モードで制御が開始された後、予め規定された期間外部からの気象情報が取得されない場合に、気象情報対応モードでの制御から他のモードでの制御に切り替える。
【００１０】
他の実施の形態に従うと、制御方法は、１以上の電気機器に電力を供給可能な蓄電装置に接続された制御装置の制御方法である。制御装置は、蓄電池の充放電制御モードとして、外部から取得する気象情報に応じて蓄電池の充放電制御を行なう気象情報対応モードを有する。この制御方法は、取得した気象情報に応じて気象情報対応モードで制御が開始された後、予め規定された期間外部からの気象情報の取得ができない場合に、気象情報対応モードでの制御から他のモードでの制御に切り替えることを含む。
【発明の効果】
【００１１】
この開示によると、制御装置と気象情報を提供するサーバなどの外部との通信状況に関わらず、蓄電装置の充放電制御の適正化を図ることができる。
【図面の簡単な説明】
【００１２】
【図１】実施の形態にかかる充放電制御システムの構成の具体例を示す図である。
【図２】充放電制御システムに含まれる制御装置の装置構成の概略の一例を示すブロック図である。
【図３】充放電制御システムに含まれるサーバの装置構成の概略の一例を示すブロック図である。
【図４】気象情報の種類ごとの実行する充放電制御の関係の一例を表わした図である。
【図５】充放電制御システムの動作の流れを表わした図である。
【図６】制御装置の機能構成の一例を表わしたブロック図である。
【図７】端末装置に表示される設定画面の一例を表わした図である。
【図８】制御装置の動作の流れの具体例を表わしたフローチャートである。
【発明を実施するための形態】
【００１３】
以下に、図面を参照しつつ、本発明の第１の実施の形態について説明する。以下の説明では、同一の部品および構成要素には同一の符号を付してある。それらの名称および機能も同じである。したがって、これらの説明は繰り返さない。
【００１４】
＜システム構成＞
図１は、本実施の形態にかかる充放電制御システムの構成の具体例を示す図である。図１を参照して、充放電制御システムは、家庭内やオフィス内のエアコン４００Ａおよび給湯器４００Ｂなどの電気機器に電力を供給可能な、蓄電池（図示せず）を含む蓄電装置３００に接続された制御装置１００と、制御装置１００とインターネットなどを介して通信可能な外部装置の一例としてのサーバ２００とを含む。エアコン４００Ａおよび給湯器４００Ｂなどの１台以上の電気機器を代表して、電気機器４００ともいう。
【００１５】
制御装置１００は、ＨＥＭＳコントローラとも呼ばれる。ＨＥＭＳコントローラとは、住宅向けの電力使用量の可視化、節電（二酸化炭素排出量の削減）のための機器制御、ソーラー発電機等の再生可能エネルギーや蓄電器の制御等を行なうエネルギー監理システム（ＨＥＭＳ）に用いられるコントローラである。
【００１６】
サーバ２００は、各家庭の電力状況を管理するためのサーバ２００Ａおよび気象情報を提供するためのサーバ２００Ｂなど、後述する処理をそれぞれが分担し協働して行なう複数のサーバからなるものであってもよいし、１台のサーバからなるものであってもよい。サーバ２００は、一般的なコンピュータで構成されるものであってもよい。サーバ２００は、インターネットなどを介して、スマートフォンやタブレットなどの端末装置５００からアクセスが可能である。
【００１７】
制御装置１００は、蓄電装置３００と通信可能に接続されている。制御装置１００は、蓄電装置３００に制御信号を出力する。これにより、制御装置１００は、蓄電装置３００での充電および電気機器４００への電力供給（放電）を制御する。制御装置１００による蓄電装置３００での充電および電気機器４００への電力供給（放電）の制御を、充放電制御ともいう。さらに、制御装置１００は、蓄電装置３００に問い合わせることで、蓄電装置３００から蓄電装置３００の蓄電量を取得する。
【００１８】
制御装置１００は、さらに、１台以上の電気機器４００それぞれと通信可能に接続されている。制御装置１００は、１台以上の電気機器４００それぞれから電気の使用量を示す信号を受信することで、各電気機器４００での電気の使用量を取得する。また、制御装置１００は、電気機器４００それぞれに制御信号を出力する。制御信号は、電気機器４００の運転量を指示するものである。たとえば、制御信号は、温度設定や、風量設定などを電気機器４００に指示するものである。これにより、制御装置１００は、電気機器４００の稼働を制御する。
【００１９】
制御装置１００は、インターネットなどを介してサーバ２００と通信可能に接続されている。制御装置１００は、１台以上の電気機器４００それぞれの電気の使用量をサーバ２００に送信する。また、制御装置１００は、蓄電装置３００の蓄電量をサーバ２００に送信する。サーバ２００は、制御装置１００から電気機器４００の電気の使用量や蓄電装置３００の蓄電量を受信して、各家庭での電力状況を管理する。また、制御装置１００は、サーバ２００に問い合わせることで、外部装置の一例としてのサーバ２００から気象情報を取得する。
【００２０】
サーバ２００は、端末装置５００からインターネットなどを介したアクセスを受け付ける。サーバ２００は、たとえばログインに成功した端末装置５００のみからのアクセスを受け付ける。サーバ２００は、端末装置５００からの要求に応じて、端末装置５００のユーザに関連付けて記憶している家庭の電力状況を表示するための画面情報を端末装置５００に提供する。また、サーバ２００は、端末装置５００からの要求に応じて、端末装置５００のユーザに関連付けて記憶している家庭の電気機器４００や蓄電装置３００への設定を受け付ける画面を表示するための画面情報を端末装置５００に提供する。サーバ２００は、端末装置５００から当該画面に対して入力された各種設定を受け付けると、当該設定に基づいた情報を制御装置１００に出力する。制御装置１００は、サーバ２００からの情報に基づいて電気機器４００や蓄電装置３００の制御を行なってもよい。
【００２１】
＜装置構成＞
図２は、制御装置１００の装置構成の概略の一例を示すブロック図である。図２を参照して、制御装置１００は、装置全体を制御するためのＣＰＵ（Central  Processing  Unit）１０と、メモリ１３とを含む。メモリ１３は、一例として、ＣＰＵ１０で実行されるプログラムを記憶するためのＲＯＭ（Read  Only  Memory）１１と、電気機器の状態情報などの各種データを記憶したりＣＰＵ１０でプログラムを実行する際の作業領域となったりするためのＲＡＭ（Random  Access  Memory）１２とを含む。
【００２２】
制御装置１００は、出力部としてのＬＥＤ（Light  Emitting  Diode）１４や、スイッチなどの操作部１５を含んでもよい。
【００２３】
さらに、制御装置１００は、電気機器４００やサーバ２００と通信するための通信部１６を含む。
【００２４】
図３は、サーバ２００の装置構成の概略の一例を示すブロック図である。サーバ２００は一般的なコンピュータで構成されるものであってよい。そのため、図３は一般的なコンピュータの概略構成を表わしている。
【００２５】
図３を参照して、サーバ２００は、装置全体を制御するためのＣＰＵ２０と、メモリ２４と、インターネットを介した通信を行なうための通信部２５とを含む。メモリ２４は、一例として、ＣＰＵ２０で実行されるプログラムを記憶するためのＲＯＭ２１と、ＣＰＵ２０でプログラムを実行する際の作業領域となったり計算値を記憶したりするためのＲＡＭ２２と、各種情報を記憶するためのＨＤＤ（Hard  Disk  Drive）２３とを含む。
【００２６】
サーバ２００の構成は図３の構成に限定されるものではない。たとえば、サーバ２００は、ユーザの操作入力を受け付けるための操作部やディスプレイをさらに含んでもよい。また、図１で例示されたように、サーバ２００が複数の装置から構成されるものである場合、各サーバは、他の装置と通信するための通信装置をさらに含んでもよい。
【００２７】
＜動作概要＞
本実施の形態にかかる充放電制御システムは、サーバ２００などの外部から提供される気象情報に基づいて蓄電装置３００の充放電制御を実行する。気象情報は、たとえば気象庁の発表する気象情報であり、大雨、暴風などのカテゴリごとに特別警報、警報、および注意報などの種類が設定されている。外部装置の一例としてのサーバ２００は、気象庁の発表する気象情報を提供するサーバを含み、または、該サーバから気象情報を取得可能なサーバを含む。
【００２８】
本充放電制御システムに含まれる制御装置１００は、予め規定された種類の気象情報が発令されていない期間は、通常の充放電制御を実行する。通常の充放電制御は、たとえば、夜間などの電力料金が安い時間帯に充電し、昼間などの電力料金が高い時間帯に電気機器４００に電力供給（放電）するように蓄電装置３００を制御するものである。また、通常の充放電制御は、たとえば、夜間などの電気機器４００からの電力需要の少ない時間帯に充電し、昼間などの電気機器４００からの電力需要の高まる時間帯に電気機器４００に電力供給（放電）するように蓄電装置３００を制御するものである。
【００２９】
通常の充放電制御を実行し、電気機器４００に電力供給（放電）するように蓄電装置３００を制御している期間に、予め規定された種類の気象情報をサーバ２００から取得することで、制御装置１００は、気象情報対応制御に切り替える。気象情報対応制御とは、蓄電池を満充電になるように充電を開始し、満充電になるとその状態を維持する制御である。気象情報対応制御中に停電が発生した場合には、放電が開始される。当該気象情報が解除された場合に、制御装置１００は、気象情報対応制御を終了して通常の充放電制御、つまり電気機器４００に電力供給（放電）する制御に切り替える。
【００３０】
この制御を実現するために、制御装置１００は、気象情報の種類ごとに実行する充放電制御を予めメモリ１３に記憶している。図４は、気象情報の種類ごとの実行する充放電制御の関係の一例を表わした図である。図４を参照して、制御装置１００は、たとえば、大雨および暴風（強風）のカテゴリについては、特別警報および警報が発令されると気象情報対応制御を行ない、波浪のカテゴリについては特別警報が発令されると気象情報対応制御を行なうと記憶している。制御装置１００は、サーバ２００から気象情報を取得するとメモリ１３に記憶している図４の関係を参照して実行する充放電制御を決定する。
【００３１】
制御装置１００は、予め規定された時間間隔でサーバ２００に問い合わせて気象情報を取得を試みる。気象情報が取得され、気象情報対応制御を開始してから該当する気象情報の種類の警報等が解除された場合に、制御装置１００は速やかに気象情報対応制御を終了して通常の充放電制御、つまり電気機器４００に電力供給（放電）する制御に切り替えることができる。
【００３２】
しかしながら、通信トラブルの発生等によって制御装置１００とサーバ２００との通信が不通となった場合、制御装置１００はサーバ２００から気象情報を取得することができない。そのため、警報等が解消されていたとしても制御装置１００はその情報を得ることができずに気象情報対応制御を継続することになる。
【００３３】
そこで、本実施の形態にかかる充放電制御システムでは、制御装置１００は、サーバ２００からの気象情報に基づいて気象情報対応制御を開始してから予め規定された期間、サーバ２００から気象情報を得ることができなかった場合、気象情報対応制御を終了して通常の充放電制御、つまり電気機器４００に電力供給（放電）する制御に切り替える。
【００３４】
図５は、本充放電制御システムの、通常時の動作の流れを表わした図である。図５を参照して、制御装置１００は、予め規定された時間間隔でサーバ２００に対して気象情報を要求し（ステップＳ１）、サーバ２００から気象情報を取得する（ステップＳ２）。制御装置１００は、メモリ１３に記憶されている図４の関係を参照して、サーバ２００から取得した気象情報の種類に基づいて実行する充放電制御を決定する（ステップＳ３）。制御装置１００は、取得した気象情報の種類が、図４の関係において気象情報対応制御に対応付けられている種類であった場合、通常の制御時、つまり、蓄電装置３００から電気機器４００に電力供給（放電）する制御を実行している場合には、気象情報対応制御を行なうと決定する（ステップＳ３）。そして、制御装置１００は、ステップＳ３で決定した充放電制御を実行する（ステップＳ４）。これによって、通常の制御時に予め規定された警報等が発令された場合に、本充放電制御システムでは気象情報対応制御が行なわれて、蓄電装置３００の蓄電量が増加する。このため、停電が発生した場合であっても、蓄電装置３００に十分な蓄電量が確保されている可能性を高めることができる。
【００３５】
制御装置１００は、気象情報に基づいて気象情報対応制御を開始した後、予め規定された時間間隔でサーバ２００に対して気象情報を要求する（ステップＳ１１，Ｓ１２）。好ましくは、制御装置１００は充放電制御に関わらず、予め規定された時間間隔でサーバ２００に対して気象情報を要求する。予め規定された時間間隔は、たとえば１５分である。
【００３６】
制御装置１００は、サーバ２００に対して上記要求を行なった際の通信状況を監視しておく。そして、予め規定された回数連続して、つまり、予め規定された期間、サーバ２００から気象情報の取得に失敗した場合、制御装置１００は、実行する充放電制御を決定する（ステップＳ１３）。予め規定された回数はたとえば１９２回、つまり、予め規定された期間はたとえば４８時間である。これは、通常、発令された警報等が発令されてから、当該発令された警報等が解除されると想定されるまでの期間である。
【００３７】
ステップＳ１３で制御装置１００は、気象情報対応制御を実行している場合、気象情報対応制御を終了して通常の充放電制御、つまり、電気機器４００に電力供給（放電）する制御に切り替えると決定する。そして、制御装置１００は、ステップＳ１３で決定した充放電制御を実行する（ステップＳ１４）。これによって、警報等の解除を表わす気象情報を制御装置１００とサーバ２００との通信が不成功であることによって制御装置１００が取得することができなかった場合であっても、本充放電制御システムでは、制御装置１００とサーバ２００との通信が予め規定された期間、不成功であった場合には、自動的に気象情報対応制御が解除される。このため、停電の発生の可能性がなくなった場合にその旨を表わす情報が制御装置１００において得られなかったとしても、蓄電装置３００に過剰な蓄電量が確保されている状態が長く継続することが回避される。
【００３８】
＜機能構成＞
図６は、上記動作を行なうための制御装置１００の機能構成の一例を表わしたブロック図である。図６の各機能は、制御装置１００のＣＰＵ１０がＲＯＭ１１に記憶されているプログラムをＲＡＭ１２上に読み出して実行することで、主に、ＣＰＵ１０で実現される。しかしながら、少なくとも一部の機能が図２に表わされた他のハードウェア、または電気回路などの図示されていない他のハードウェアによって実現されてもよい。
【００３９】
図６を参照して、制御装置１００のＣＰＵ１０は、サーバ２００との通信を制御するための通信制御部１０１と、気象情報を取得するための取得部１０２と、実行する充放電制御を決定するための決定部１０３と、充放電制御を実行するための充放電制御部１０４とを含む。
【００４０】
取得部１０２は、サーバ２００と通信することによって、サーバ２００から気象情報を取得する。
【００４１】
メモリ１３は、図４に示された、気象情報の種類ごとに充放電制御部１０４で実行する制御を記憶するための制御対応記憶部１３１を含む。
【００４２】
決定部１０３は、図４の関係を参照して、取得部１０２によってサーバ２００から取得された気象情報に基づいて、充放電制御部１０４で実行する制御が気象情報対応制御であるか、または電気機器４００への電力供給（放電）制御であるかを決定する。すなわち、決定部１０３は、サーバ２００から取得された気象情報の種類が図４の関係において気象情報対応制御に関連付けられている場合に、充放電制御部１０４で気象情報対応制御を実行すると決定する。
【００４３】
通信制御部１０１は、少なくとも気象情報対応制御が開始された後に、たとえば１５分などの予め規定されたタイミングでサーバ２００に対して気象情報を要求するように通信部１６を制御する。好ましくは、通信制御部１０１は、充放電制御部１０４における充放電制御に関わらず常に、予め規定されたタイミングでサーバ２００に対して気象情報を要求するように通信部１６を制御する。
【００４４】
決定部１０３は、充放電制御部１０４によって気象情報対応制御が開始された後に、たとえば１９２回、すなわち４８時間、サーバ２００との通信が不成功であった場合に、充放電制御部１０４で通常の制御、つまり、電気機器４００への電力供給（放電）制御を実行すると決定する。
【００４５】
好ましくは、制御装置１００のＣＰＵ１０は、さらに、設定部１０５を含む。設定部１０５は、通信部１６がサーバ２００から受信した制御信号に従って、気象情報の対象とする地域や、気象情報対応制御に関連付ける気象情報の種類を設定する。
【００４６】
この場合、サーバ２００は、端末装置５００から設定の要求を受け付けると、図７の設定画面を表示するための画面情報を端末装置５００に渡す。端末装置５００は、画面情報に基づいて図７の設定画面をディスプレイに表示して、ユーザの入力を受け付ける。
【００４７】
詳しくは、図７を参照して、設定画面は、本充放電制御システムに含まれる電気機器４００の設置された地域の入力を受け付ける項目と、制御装置１００が実行する気象情報対応制御において用いる気象情報の種類の選択を受け付ける項目とを含む。
【００４８】
電気機器４００の設置された地域は、気象情報対応制御において用いる気象情報の対象とする地域に該当する。該地域を受け付ける項目は、図７に示されたように、たとえば郵便番号や電話番号など、地域と関連付けられている情報の入力を受け付けてもよい。または、該地域を受け付ける項目は、各都道府県や市町村の中から該当する地域の選択を受け付けてもよい。
【００４９】
用いる気象情報の種類の選択を受け付ける項目は、気象情報の種類として、暴風や大雨などの気象情報の対象とする気象の種類の選択を受け付ける。該項目は、さらに、気象の情報ごとに、警報や特別警報や注意報など、気象情報の示すランク（警戒のレベル）の選択を受け付けてもよい。
【００５０】
端末装置５００は選択完了のユーザ指示に従って図７の画面で指定された内容を表わした情報をサーバ２００に送信する。図７の画面で指定された情報を端末装置５００から受け付けると、サーバ２００は、端末装置５００からの情報に基づいて、本充放電制御システム、つまり、充放電制御の対象となる蓄電装置３００および当該蓄電装置３００に接続された電気機器４００を含む充放電制御システムについての、図４に表わされた気象情報の種類ごとの実行する充放電制御の関係を書き換えるように、当該端末装置５００のユーザに関連付けられている制御装置１００に、上記指定に基づく制御信号を出力する。これにより、制御装置１００のメモリに記憶されている図４の関係は、図７の設定画面を用いてユーザの設定に基づいて更新される。
【００５１】
上記のように、制御装置１００は、サーバ２００から気象情報を取得するとメモリ１３に記憶している図４の関係を参照して実行する充放電制御を決定する。そのため、図７の設定画面を用いてユーザが各種設定を行なうことは、制御装置１００が実行する充放電制御の内容を当該ユーザが設定／変更することに相当する。つまり、本充放電制御システムは、充放電制御の対象となる蓄電装置３００および当該蓄電装置３００に接続された電気機器４００が設置された地域や環境などを考慮してユーザが設定した内容に基づいて、柔軟な充放電制御を実現することができる。
【００５２】
＜動作フロー＞
図８は、制御装置１００の動作の流れの具体例を表わしたフローチャートである。図８のフローチャートに表わされた動作は、制御装置１００のＣＰＵ１０がＲＯＭ１１に記憶されているプログラムをＲＡＭ１２上に読み出して実行し、図６の各機能を発揮することによって実現される。図８の動作は、制御装置１００が通常の充放電制御、つまり、蓄電装置３００から電気機器４００に電力供給（放電）する制御を実行しているときにＣＰＵ１０によって実行される。
【００５３】
図８を参照して、ＣＰＵ１０は、先にサーバ２００に気象情報を要求してから予め規定された時間の経過後に、サーバ２００に気象情報を要求する（ステップＳ１０１）。そして、ＣＰＵ１０は、次にサーバ２００に気象情報を要求するタイミングを決定するために、タイマーをスタートする（ステップＳ１０３）。
【００５４】
上記ステップＳ１０１での要求に応じてサーバ２００から気象情報を取得した場合（ステップＳ１０５でＹＥＳ）、ＣＰＵ１０は、メモリ１３に記憶している気象情報の種類と充放電制御との対応（図４）を参照して、取得した気象情報に基づいて充放電制御を実行すると決定する。具体的に、ＣＰＵ１０は、取得した気象情報の種類が気象情報対応制御に対応付けられたものであった場合（ステップＳ１０７でＹＥＳ）、気象情報対応制御を実行すると決定する。そして、ＣＰＵ１０は、決定した気象情報対応制御を実行する（ステップＳ１０９）。
【００５５】
その後、ＣＰＵ１０は上記ステップＳ１０３でスタートしたタイマーのアップを監視する。当該タイマーがアップすると、つまり、次にサーバ２００に気象情報を要求するタイミングに達したことが検出されると、ＣＰＵ１０は、上記ステップＳ１０１に動作を戻して、サーバ２００に気象情報を要求する。そして、ＣＰＵ１０は、以降の動作を繰り返す。
【００５６】
取得した気象情報の種類が気象情報対応制御に対応付けられていない場合（ステップＳ１０７でＮＯ）、ＣＰＵ１０は、電気機器４００へ電力を供給（放電）する制御を実行すると決定する。そして、ＣＰＵ１０は、決定した電力供給（放電）制御を実行する（ステップＳ１１５）。気象情報対応制御を行なっていた場合には、ステップＳ１１５でＣＰＵ１０は、気象情報対応制御を終了し、電気機器４００へ電力を供給（放電）する制御に切り替える。通常の充放電制御において電力供給（放電）制御を行なっていた場合、たとえば昼間の時間帯に電力供給（放電）制御を行なっていた場合、ステップＳ１１５でＣＰＵ１０は、当該電力供給（放電）制御を継続する。なお、通常の充放電制御において充電制御を行なっていた場合、たとえば夜間の時間帯に充電制御を行なっていた場合には、ステップＳ１１５でＣＰＵ１０は当該充電制御を終了することなく継続してもよい。
【００５７】
上記ステップＳ１０１での要求に対してサーバ２００から気象情報の取得に失敗した場合（ステップＳ１０５でＮＯ）、ＣＰＵ１０は、サーバ２００からの気象情報の取得に失敗した回数をカウントする（ステップＳ１１１）。そして、ＣＰＵ１０は、サーバ２００からの気象情報の取得に失敗した回数が予め規定された回数に達しているか否か、つまり、先に気象情報を取得してから予め規定された期間、経過しているか否かを判断する。ＣＰＵ１０は、上記の規定回数に達するまで（ステップＳ１１３でＮＯ）、上記ステップＳ１０１以降の動作を繰り返す。
【００５８】
サーバ２００からの気象情報の取得に失敗した回数が予め規定された回数に達している場合、つまり、先に気象情報を取得してから予め規定された期間、経過している場合（ステップＳ１１３でＹＥＳ）、ＣＰＵ１０は、電気機器４００へ電力を供給（放電）する制御を実行すると決定する。そして、ＣＰＵ１０は、決定した電力供給（放電）制御を実行する（ステップＳ１１５）。
【００５９】
＜実施の形態の効果＞
ＣＰＵ１０が以上の動作を行なうことによって、本充放電制御システムでは、警報等の、予め規定された種類の気象情報が発令された場合に、蓄電装置３００の蓄電量が満了となるまで気象情報対応制御が実行される。その結果、停電が発生した場合にも電気機器４００を稼働するための電力の確保が可能となる。
【００６０】
また、気象情報対応制御がなされている状態において上記気象情報が解除されたことを表わす気象情報が外部から得られた場合には、本充放電制御システムでは気象情報対応制御が終了し、通常の充放電制御に切り替わる。これにより、蓄電装置３００に過剰に蓄電された状態が維持されることなく、電気機器４００に適切に電力が供給されることになる。
【００６１】
さらに、本充放電制御システムでは、気象情報対応制御がなされている状態において制御装置１００とサーバ２００との通信が遮断されることで外部から気象情報を取得することができなくなった場合も、気象情報が取得できない期間が予め規定された期間、継続した時点で、自動的に気象情報対応制御が解除されて通常の制御に切り替わる。これにより、蓄電装置３００に過剰に蓄電された状態が維持されることなく、電気機器４００に適切に電力が供給されることになる。
【００６２】
したがって、本充放電制御システムでは、制御装置１００と気象情報を提供するサーバ２００との通信状況に関わらず充放電制御の適正化を図ることができる。
【００６３】
本発明の第２の実施の形態として、開示された特徴は、１つ以上のモジュールによって実現される。たとえば、当該特徴は、回路素子その他のハードウェアモジュールによって、当該特徴を実現する処理を規定したソフトウェアモジュールによって、または、ハードウェアモジュールとソフトウェアモジュールとの組み合わせによって実現され得る。
【００６４】
本発明の第３の実施の形態として、上述の動作を制御装置１００に実行させるための、１つ以上のソフトウェアモジュールの組み合わせであるプログラムとして提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６５】
本発明の第４の実施の形態として、本開示にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本開示にかかるプログラムに含まれ得る。
【００６６】
本発明の第５の実施の形態として、本開示にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本開示にかかるプログラムに含まれ得る。
【００６７】
提供されるプログラム製品は、ハードディスクなどのプログラム格納部にインストールされて実行される。なお、プログラム製品は、プログラム自体と、プログラムが記録された記録媒体とを含む。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１０，２０  ＣＰＵ、１１，２１  ＲＯＭ、１２，２２  ＲＡＭ、１３，２４  メモリ、１４  ＬＥＤ、１５  操作部、１６，２５  通信部、１００  制御装置、１０１  通信制御部、１０２  取得部、１０３  決定部、１０４  充放電制御部、１０５  設定部、１３１  制御対応記憶部、２００，２００Ａ，２００Ｂ  サーバ、３００  蓄電装置、４００  電気機器、４００Ａ  エアコン、４００Ｂ  給湯器、５００  端末装置。
【図１】
2018207782.tif 000003
【図２】
2018207782.tif 000004
【図３】
2018207782.tif 000005
【図４】
2018207782.tif 000006
【図５】
2018207782.tif 000007
【図６】
2018207782.tif 000008
【図７】
2018207782.tif 000009
【図８】
2018207782.tif 000010
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
１以上の電気機器に電力を供給可能な蓄電装置に接続された制御装置であって、
前記蓄電装置の充放電制御として、外部から取得する気象情報に応じて前記蓄電装置の充放電制御を行なう気象情報対応モードを含み、
前記制御装置は、予め規定された種類の気象情報を外部から取得した場合に、前記気象情報対応モードでの制御を実行し、
前記気象情報対応モードでの制御は、前記蓄電装置の充電を開始し、満充電になるとその状態を維持する制御である、制御装置。
【請求項２】
前記気象情報対応モードでの制御に切り替えた後、前記予め規定された種類の気象情報が解除された場合に、前記気象情報対応モードでの制御から前記気象情報対応モードでの制御に切り替える前の充放電制御に切り替える、請求項１に記載の制御装置。
【請求項３】
１以上の電気機器に電力を供給可能な蓄電装置に接続された制御装置であって、
前記蓄電装置の充放電制御として、外部から取得する気象情報に応じて前記蓄電装置の充放電制御を行なう気象情報対応モードを含み、
前記制御装置は、ユーザが選択した前記気象情報対応モードでの制御に関連付ける気象情報の種類を設定する、制御装置。
【請求項４】
前記制御装置は、ユーザの入力を受け付ける所定の設定画面に対して入力された内容に基づいて前記気象情報対応モードでの制御に関連付ける気象情報の種類を設定する、請求項３に記載の制御装置。
【請求項５】
前記所定の設定画面は、前記気象情報対応モードでの制御に関連付ける気象情報の種類の選択を受け付ける項目を含む、請求項４に記載の制御装置。
【請求項６】
１以上の電気機器に電力を供給可能な蓄電装置に接続された制御装置であって、
前記蓄電装置の充放電制御として、外部から取得する気象情報に応じて前記蓄電装置の充放電制御を行なう気象情報対応モードを含み、
前記制御装置は、ユーザの入力を受け付ける所定の設定画面に対して入力された内容に基づいて前記気象情報対応モードでの制御に関連付ける気象情報の対象とする地域を設定する、制御装置。
【請求項７】
１以上の電気機器に電力を供給可能な蓄電装置に接続された制御装置であって、
前記蓄電装置の充放電制御として、外部から取得する気象情報に応じて前記蓄電装置の充放電制御を行なう気象情報対応モードを含み、
前記制御装置は、ユーザが気象情報連携を有効に設定したことに基づいて前記気象情報対応モードでの制御を実行する、制御装置。
【請求項８】
充放電制御システムであって、
１以上の電気機器に電力を供給可能な蓄電装置と、
前記蓄電装置に接続された制御装置と、を備え、
前記制御装置は、
前記蓄電装置の充放電制御として、外部から取得する気象情報に応じて前記蓄電装置の充放電制御を行なう気象情報対応モードを含み、
予め規定された種類の気象情報を外部から取得した場合に、前記気象情報対応モードでの制御を実行し、
前記気象情報対応モードでの制御は、前記蓄電装置の充電を開始し、満充電になるとその状態を維持する制御である、充放電制御システム。
【請求項９】
１以上の電気機器に電力を供給可能な蓄電装置に接続された制御装置の制御方法であって、
前記制御装置は、前記蓄電装置の充放電制御として、外部から取得する気象情報に応じて前記蓄電装置の充放電制御を行なう気象情報対応モードを有し、
前記制御方法は、予め規定された種類の気象情報を外部から取得した場合に、前記気象情報対応モードでの制御を実行することを含み、
前記気象情報対応モードでの制御は、前記蓄電装置の充電を開始し、満充電になるとその状態を維持する制御である、制御方法。